Podtech/llm-jp-corpus-v4-ja_patent huggingface dataset:
(57)【要約】【課題】  ワンスイッチでパルス幅が０．３ｍ秒を達成する。【解決手段】  コンデンサーの放電、または、充電が完了することで、電圧の変化が得られることを利用した技術を利用し、その充電、または、放電が完了する僅かな時間を検出すればいい。その為には、インバーターを利用して電圧を反転し、一旦、コンデンサーに充電させ、放電された電圧をダイオードで負の電圧の部分をカットして、信号を、まず半分にして、また、ダイオードと抵抗を並列に入れて、カットされて残った正の電圧の部分の幅を狭めてやれば、かなり短いワンパルスが得られた。【選択図】図１
2011250385.tif 000002
【特許請求の範囲】
【請求項１】
１．抵抗（１）とコンデンサー（２）を直列につないだ回路のその抵抗（１）とコンデンサー（２）の間に、２．適度な電圧が入力されると電圧が低下または一定の電圧まで上がるように調整されたインバータ（３）を繋ぎ、３．コンデンサー（２）が充電されると、または、放電されるとインバータ（３）の出力電圧が適当に調整されて一定電圧が出力されるインバータ（３）の出力側を、４．片方が低い電圧に繋がれた適当な値の二端子のコンデンサー（４）の高い電圧側に繋ぎ、そこからまた別のコンデンサー（５）を介して、５．適当な値の抵抗（６）と並列に繋がれたダイオード（７）のマイナス側に繋ぎ、ダイオード（７）のプラス側は二端子のコンデンサー（４）の低い電圧側に繋ぐことで、６．二端子のコンデンサー（４）の端子間電圧からマイナスの電圧をカットした電圧成分を、７．適度な電圧が入力されると電圧が低下または一定の電圧まで上がるように調整されたインバータ（８）に入力して、一定時間の正弦波はまたは三角波を発生する装置。
【発明の詳細な説明】
【技術分野】
【０００１】  本発明は、電子電気機器を制御するための技術の一部に属する。
【背景技術】
【０００２】  従来は、実用新案登録（３０７９９２１号）の考案の名称「開閉を伴う物の開閉カウンター」の中心的な技術である、カウントする為に演算ＣＰＵへ演算を行うためのパルスを発生する装置などに使用されている。【０００３】  また、発振装置からパルスを取り出す装置などがある。【０００４】  また、応用技術が多く、モータ制御装置（特許公開２００８−１３１７９６）やバルブ開閉機（実用新案登録３０４７００６号）がある。【０００５】  それらの技術は、一つのパルスを機械制御に使用するもので、本発明の重要性がうかがえる。【０００６】  また、これらの技術文献には、パルスの発生時間や、発生方法の具体的な記述が無く、たくさんのパルス幅の長いワンパルス発生装置を使って、制御をしている可能性もある。
【特許文献１】実用新案登録３０７９９２１号
【特許文献２】特許公開２００８−１３１７９６
【特許文献３】実用新案登録３０４７００６号
【発明の開示】
【発明が解決しようとする課題】
【０００７】  本発明は、モーターの回転した数を数えるのが目的である為に、実用新案登録（３０７９９２１号）の考案の名称「開閉を伴う物の開閉カウンター」の中心的な技術である、開閉をカウントする為に演算ＣＰＵへ演算を行うためのパルスを発生する装置で開発したパルス発生装置を使用しようとすると、パルスの幅が０．５秒から２．０秒と長く、モーターの回転の数を数えるのは不可能であることは自明であった。【０００８】  そこで、１秒の間に、３千回はカウントできることを目的に、開発を進めた。
【課題を解決するための手段】
【０００９】  本発明の達成には、実用新案登録（３０７９９２１号）の考案の名称「開閉を伴う物の開閉カウンター」の中心的な技術である、開閉をカウントする為に演算ＣＰＵへ演算を行うためのパルスを発生する装置で開発した、ワンパルス発生装置の延長線上に本発明があることを認識し、コンデンサーの放電、または、充電が完了することで、電圧の変化が得られることを利用した技術を利用し、その充電、または、放電が完了する僅かな時間を検出すればいい。【００１０】  その為には、インバーターを利用して電圧を反転し、一旦、コンデンサーに充電させ、放電された電圧をダイオードで負の電圧の部分をカットして、信号を、まず半分にして、また、ダイオードと抵抗を並列に入れて、カットされて残った正の電圧の部分の幅を狭めてやれば、かなり短いワンパルスが得られると、考えた。【００１１】  さらに、ダイオードの前に抵抗を入れて、正の電圧の高さを低くしてやってもよい。【００１２】  低くしてやれば、その分、幅が狭くなり、短いパルスが得られる。
【発明の効果】
【００１３】  本発明は、ワンスイッチでパルス幅が０．２３ｍ秒を達成した。
【発明を実施するための最良の形態】
【００１４】  フォト・インタラプタを使い、電圧信号を発生させ、本発明装置に入力し本発明装置から発生したワンパルスを、カウント表示装置に入力することで、毎秒二千回転以内の範囲ならば、回転した回数を、カウント可能である。
【実施例】
【００１５】  図１は、発明の全体図である。
【産業上の利用可能性】
【００１６】  本発明は、ひとつの信号に対して、ひとつのパルス幅が０．２３ｍ秒のパルスを発生する発明であり、その時間が、使用する装置において大変短ければ、処理用の信号発生装置としての利用価値がある。
【図面の簡単な説明】
【００１７】
【図１】  発明の全体図。
【符号の説明】
【００１８】１．抵抗
２．コンデンサー
３．インバーター
４．コンデンサー
５．コンデンサー
６．抵抗
７．ダイオードー
８．インバーター
【図１】
2011250385.tif 000003
(57)【要約】      （修正有）【課題】これからの未来の映画は人のための映画、低予算でも早く出来る映画にならなければいけない。全世界の映画界を変化し、より良いコンテンツで人々の願いをかなえてあげるために低予算でも映画製作ができるようにする。【解決手段】映画製作に取り込もうと思ったら大変な予算がかかったり、封切りできない映画もあるような博打みたいな内容も持っています。人々が願う良いコンテンツをより早く、便利な機械、またはロボットを発明し、低予算でも良い映画が出来るようにする。【選択図】図１
2011250388.tif 000002
【特許請求の範囲】
【請求項１】
映画製作のロボットの中に照明器具とビデオカメラが搭載されている映画製作ロボット
【請求項２】
映画製作のロボットの中にレフ板が搭載されている請求項１記載の映画製作ロボット
【請求項３】
映画製作のロボットの中にミニクレーンが搭載されている請求項１または２記載の映画製作ロボット
【請求項４】
映画製作のロボットの中にモニターが搭載されている請求項１〜３の何れか一項に記載の映画製作ロボット
【請求項５】
映画製作のロボットの中にカメラのレンズは標準、広角、望遠、ズーム、特殊レンズ、等々が搭載されている請求項１〜４の何れか一項に記載の映画製作ロボット
【請求項６】
映画製作のロボットの中にドリーが搭載されている請求項１〜５の何れか一項に記載の映画製作ロボット
【請求項７】
映画製作のロボットの中に三脚、カチンコが搭載されている請求項１〜６の何れか一項に記載の映画製作ロボット
【請求項８】
映画製作のロボットの中に音響は通常マイク、ピンマイク、集音、スポット、約２メーターから８メーター約３００グラムが搭載できる請求項１〜７の何れか一項に記載の映画製作ロボット
【請求項９】
映画製作のロボットの中に編集用コンピューターが搭載されているもの。
監督からのＯＫカットとＮＧカットがすぐ対応できる請求項１〜８の何れか一項に記載の映画製作ロボット
【請求項１０】
映画製作のロボットの中にスチールカメラが搭載されている請求項１〜９の何れか一項に記載の映画製作ロボット
【請求項１１】
映画製作のロボットの中に請求項１から１０までのすべての組み合わせが搭載されている映画製作ロボット
【発明の詳細な説明】
【技術分野】
【０００１】映画製作を助けるもの、ロボット
【背景技術】
【０００２】アニメーション世界では手塚治虫先生の鉄腕アトム、ハリウッドのスターウォーズのＣ３ＰＯ、Ｒ２Ｄ２などが現実に発明しています。そして、ソニーのアイボ、ホンダのアシモ、ナムコのニャームコなどのロボットが人間生活に大変喜びと幸せをもたらしています。
【発明の概要】
【発明が解決しようとする課題】
【０００３】映画製作には機材もかなり重いし、人間もたくさん必要なのでお金がかなりかかります。
雨が降ったときにも、このロボットでは大変便利なレインカバーがレンズを安全に保存できます。照明器具とビデオカメラなども重いし、必要に応じて対応できるようなロボットが絶対必要になります。レンズも標準、広角、望遠、ズーム、特殊レンズ、等々非常に使いこなすのに不便な面があるため、このロボットに搭載させて簡単に映画が出来るようになります。
マイクも約２メーターから８メーター約３００グラムの重さがあるため照明スタッフは苦労しているので、このロボットの発明により楽になります。
レフ板を持っているスタッフもロボットが持つことにより、より楽になります。
ミニクレーンもモニターもドリーも必要に応じてロボットに搭載されているので、簡単に映画製作が出来ます。
ポストプロダクションについても、このロボットの中で編集用コンピューターのハードディスクにダウンロードして編集機能が搭載されているので、便利になります。
【課題を解決するための手段】
【０００４】如何に効率よく搭載していくのかが、このロボットの課題であります。
【発明の効果】
【０００５】この映画製作ロボットが発明することにより、より低予算で映画を作ることになりますし、産業の利用価値は非常に大きいです。そして人々に便利な道具、ロボットになります。
【図面の簡単な説明】
【０００６】
【図１】映画監督と映画製作ロボット（後）
【図２】映画製作ロボット（前）
【発明を実施するための形態】
【産業上の利用可能性】
【０００７】この映画製作ロボットが発明することにより、より低予算で映画を作ることが可能になります
【符号の説明】
【０００８】１  照明器具搭載されている
２  三脚役割もの
３  スチールカメラ搭載されている
４  ビデオカメラ搭載されている
５  照明（前）
６  クレーン搭載される
７  レフ板
８  ドリー
９  編集コンピューター搭載
１０  マイク
【図１】
2011250388.tif 000003
【図２】
2011250388.tif 000004
(57)【要約】【課題】大量に発生する木質破砕、モミガラ、水草、雑草、農業廃棄植物、各種の金属加工から発生する金属破片、各種産業廃棄物、生活廃棄物等を円筒形押し出し成形の圧縮固形化駆動し、可燃性廃棄物は、大量のバイオマス固形燃料を製造し、エネルギー資源開発に十分発揮できることを特徴とした。さらに、適用用途に対応した汎用性の進化と向上が図れる。【解決手段】本発明から有益機能を効率よく発揮できるバイオマスエネルギーを備え、地域の天然資源の廃棄物活用を視野に入れ、産業廃棄物の圧縮固形化する汎用自動圧縮機は、地域事業の育成、さらに地域産業開発となる。【選択図】なし【特許請求の範囲】
【請求項１】
木質破砕、モミガラ、乾燥水草、雑草、農業廃棄物等、各種の金属加工から発生する金属破片又は各種廃棄物等を圧縮固形化する汎用自動圧縮機の製造方法。
【請求項２】
上記工程は、押し板板の押す圧力による円形丸型圧縮成形製造とし、汎用性を可能にすることを特徴とした製造方法。
【請求項３】
被処理物の製造品目を単一、混合をすることを特徴とした製造方法。
【請求項４】
請求項１、２、３の固形物が用途適用に混合、分別混合され汎用性の創造を可能とすることから、趣旨を逸脱しない範囲の変更は、本発明に含まれる。
【発明の詳細な説明】
【技術分野】
【０００１】本発明は、木質破砕，モミガラ、水草、雑草、農業廃棄物、各種の金属加工から発生する金属破片又は各種産業廃棄物、生活廃棄物等を圧縮固形化する汎用自動圧縮機に関する。【０００２】上記の可燃性廃棄物資源の活用による素材は、バイオマス燃料とした固形燃料に関する。
【背景技術】
【０００３】各種廃棄物は、四角に圧縮した塊として処理されていた。【０００４】上記は、大量に産出されてはいるものの、処理後に隙間や空洞が生じやすい問題点や用途に制限があり、有効活用について検討されている。
【発明の開示】
【発明が解決しようとする課題】
【０００５】大量に産出されている各種廃棄物を丸型、棒状に押し出し、圧縮固形化成形製造として有効活用を図ることを目的とする。【０００６】上記を活用する場合に、丸型圧縮成形により処理構造が単純、簡単、しかも安価な汎用自動圧縮機を提供する。【０００７】可燃性廃棄処理物は、自然に優しいバイオマス燃料として活用される
【課題を解決するための手段】
【０００８】本発明は、円形丸型押出成形構造で一定の圧力作用により、極めて高密度の品質の均質化が図れた圧縮固形化高密度の処理物が期待できる。【０００９】本発明における機能は、循環型資源の活用から大量に発生する廃棄物を再資源の活用、可燃性廃棄処理物はエネルギーに変換する、その効果の活用を特徴とした。
【発明の効果】
【００１０】本発明の円形丸型押出成形構造による汎用自動圧縮機装置による処理物は、高密度の成形品を特徴とした。圧縮技術には高性能が発揮され、経済負担も少なく、しかも製造工程に特別な技術を要しないのが特徴。【００１１】本発明は、循環型の利活用を目的とした、上記廃棄物を円形丸型圧縮、押出成形の製造機械に投入実施することによって、高密度の高い処理物を可能とした。可燃性廃棄物は、バイオマス固定燃料として有効燃料が製造される。【００１２】上記処理物は、安定的に供給が可能であり経済効果を生む。しかも汎用自動圧縮機は安価である。本発明は特別な技術を必要とせず、有る物を用いて無い物をつくることを特徴とした。【００１３】本発明の汎用自動圧縮機は、押圧板の押す圧力による円形丸型圧縮成形製造を提供する。【００１４】本発明の製造技術は押出成形であり高度技術を要しない。
【発明を実施するための最良の形態】
【００１５】本発明品は、円筒機体に油圧シリンダーを固定とした油圧ユニットを配置とした押出成形の汎用自動圧縮機の利活用を図る駆動装置を備えた自動圧縮機である。【００１６】可燃性産業廃棄物、可燃性生活廃棄物を丸型圧縮固形化の単純さと合理的な押し出し成形形態が特徴。【００１７】金属破片切粉等を丸型圧縮固形化の単純さと合理的な押し出し成形形態が特徴。【００１８】この実施例については，上記のように複雑な機構や製造コストを抑えた圧縮機構製造としたもの。部品交換、メンテナンスを抑え、有る物を用いて無い物をつくる発明に関する技術を特徴とする。
【産業上の利用可能性】
【００１９】本発明の実施に係わる汎用自動圧縮機械製造方法は、圧縮、押出成形製造によるものであり、特別の製造技術を必要としない。【００２０】圧縮製造用途に応じて製造品目の単一製造、混合製造を特徴とした。【００２１】圧縮製造による汎用性は、大幅な利活用ができ向上させることができ、有能性が発揮される。【００２２】本発明は、上記で述べたように、環境の負荷を考慮した装置に関する。
(57)【要約】      （修正有）【課題】いろいろ食感を楽しめるたこ焼き鍋用の、たこ焼きを提供する。【解決手段】たこ焼きの生地１に、煮崩れ防止に米粉５％入れて練り込み、これにたこ焼き鍋用たこ焼きの中に具材２を入れ、さらに煮崩れ防止とカリカリ感出すためにもち子３を入れ、焼いたたこ焼きなべ用のたこ焼きであって、炊くと直ぐ溶け出すことがなく、いろいろな食感を楽しむことができる。【選択図】図１
2011110043.tif 000002
【特許請求の範囲】
【請求項１】
たこ焼きの生地に（１）煮崩れを起こさないように生地に、米粉を５％入れ練り上げる（２）たこ焼機具の中に流し込み、たこ焼き鍋用たこ焼きの中に具材を入れる（３）煮崩れ防止とカリカリ感を出すため、もち子を振りいれ回転しながら焼く（４）以上の構成により、たこ焼き鍋用たこ焼きを製造する。
【請求項２】
たこ焼き鍋用のたこ焼きの中に入れる具材は、（たこ、鳥肉、えび、の半ボイルしてある物、豚肉、魚貝類）で、各々の組み合わせで食感を変える。これによって、野菜類とたこ焼き鍋用のたこ焼きがあれば直ぐにたこ焼き鍋ができる。
【請求項３】
カリカリ感をだすために、もちを薄くスライスして乾燥し焙煎処理して細かく砕いて粗目状にした物を、（名称もち子と呼ぶ）振りいれる。
【発明の詳細な説明】
【技術分野】
【０００１】この発明はたこ焼きを鍋用にするために材料野菜類以外の具材をたこ焼きに入れて焼き、具材は半ボイルした（たこ、鶏肉、えび、）豚肉、魚貝類を入れる。鍋にたこ焼きを入れて炊くと解けて煮崩れをおこすので生地に米粉５％を入れ、カリカリ感をだすためにあられ状にした物を細かく砕いて振りいれ回転さして焼きカリカリ感のあるたこ焼き鍋のたこ焼きを作ることに関するものである。
【背景技術】
【０００２】いままではたこ焼きを単にソースを付けて食べたり、たこ焼きをお鍋に具材の一部として、たこ焼きを入れて食べてた。
【発明の概要】
【発明が解決しようとする課題】
【０００３】これは、次のような欠点があった。従来はたこ焼きを単に食べるだけと、鍋の具材一部として炊くとすぐに溶け出す。一つの目的で色々な食感を楽しむことが出来なかった。
本発明は、以上の欠点をなくすためなされたものである。
【課題を解決するための手段】
【０００４】たこ焼きの生地に（１）煮崩れしないように米粉５％をいれ（２）たこ焼き鍋用のたこ焼きの中に具材、たこ、鶏肉、えび、豚肉、魚貝類入れて（３）煮崩れ防止とカリカリ感を出すためもち子を入れ焼く。
本発明は以上の構成によりたこ焼き鍋用のたこ焼きである。
【発明の効果】
【０００５】たこ焼き鍋のたこ焼きは、野菜類とたこ焼き鍋用たこ焼き（中に具材を入れたたこ焼き）を入れることにより調理しないで簡単に直ぐに炊けて食べられる事である。
【図面の簡単な説明】
【０００６】
【図１】本発明の斜視図である。
【図２】本発明の断面図である。
【発明を実施するための形態】
【０００７】以下、発明を実施するための最良の形態について説明する。
たこ焼きの生地に（１）煮崩れを起こさないように生地に米粉を５％練りこむ（２）この生地を焼き、そこにたこ焼き鍋用の具材（たこ、鶏肉、えび、の半ボイルと、豚肉、魚貝類）を各々を組み合わせて味風味をだす（３）食べるときにカリカリ感を楽しめるようにもち子（細かく砕いたアラレ状のもの）振り回転して焼く。
本発明は以上のような構造である。
これを使うとき、鍋に入れるときしゃぶしゃぶの要領で軽く煮て食べる。
また、いろいろなスープの中に入れると、またちがった味わいがある。
【符号の説明】
【０００８】１    米粉５％
２    たこ焼き鍋用のたこ焼きの具材
３    もち子
【図１】
2011110043.tif 000003
【図２】
2011110043.tif 000004
(57)【要約】      （修正有）【課題】本体にエサや疑似餌をあらかじめゴムや糸で取り付けて用意しておくことにより、本体の孔に釣糸を通すだけでエサや疑似餌の取替えが容易となる。針に掛かった魚が、針から逃れようと暴れた際にも、エサや疑似餌が、釣糸上を自由に移動するため、針にかかる水中抵抗が軽減され、掛かった魚が外れにくくなる。【解決手段】本体１にエサや疑似餌を取り付ける凹部２を有し、取付けたエサや疑似餌のズレや脱落を防ぐ凸部３を有する。孔４に通された釣糸上を本体１に取り付けられたエサや疑似餌が自由に移動出き、本体片側先端が円錐状の先細り５となり、エサや疑似餌が取付け易い。【選択図】図１
2011110042.tif 000002
【特許請求の範囲】
【請求項１】
本発明の本体図１−（１）にエサや疑似餌を取り付ける凹部の（２）を有し、取付けたエサや疑似餌のズレや脱落を防ぐ凸部（３）を有する取付け具。
【請求項２】
本体図１−（４）に通された釣糸上を本体に取り付けられたエサや疑似餌が自由に移動出来る事を特徴とした取付け具。
【請求項３】
本体片側先端が円錐状の先細り図１−（５）となり、エサや疑似餌が取付け易いことを特徴とした取付け具。
【発明の詳細な説明】
【技術分野】
【０００１】  本発明は、釣り糸に疑似餌やエサを取り付ける際に使用する釣部品の取け付具、及びそのような取付け具を備えた釣部品に関するものである。
【背景技術】
【０００２】  従来の釣りにおいては、エサや疑似餌など、釣り糸に魚を誘うものをつける事が必要だが、エサや疑似餌を針に刺す・結びつける等の行為は釣り師の手腕に応じた好みがあり、釣ろうとする魚の種類や釣り場の状況に応じて、取替えや取付けが必要となってくる。
取り付けたものに対しては取れ難くし、また状況に応じて釣り糸に様々な形態でエサ・疑似餌を取替え、釣り師自身が常に最適と考える仕掛けを作っている。【０００３】  また、従来の仕掛けでは、エサや疑似餌を、ハリスや針に直接結んだり、刺したりして固定している。
【発明の概要】
【発明が解決しようとする課題】
【０００４】  以上に述べた従来の仕掛けによれば、次のような欠点があった。【０００５】  釣りをする際には、魚の興味を惹くエサ・疑似餌を針に刺したり、ハリスに結び付けて使用するのだが、その取付けが初心者には非常に難しいということ。【０００６】  針の刺し方や結び方が悪い場合には、エサや疑似餌が簡単に脱落してしまうということ。【０００７】  そして何より致命的な欠点は、その取替えに対しては、かなりの時間を要するということである。【０００８】  また、従来の仕掛けでは、道糸上や針にエサや疑似餌が固定されているため、魚が針に掛かった場合、エサや疑似餌の重さで魚が針から外れる欠点があった。【０００９】  そこで、この発明はエサ・疑似餌の取り付け・取替えが簡単にでき、しかも脱落しにくく、魚も外れ難いものを提供することを課題とする。
【課題を解決するための手段】
【０００１０】  以上の課題を解決するための第１の課題解決手段は、釣糸を通す孔（４）を設けた取付け具である。【０００１１】  また、第２の解決手段は、エサや疑似餌を取付ける凹部（２）を設け、エサや疑似餌が脱落する事を防ぐ（３）を設けた取付け具である。【０００１２】  そして第３の解決手段は、エサや疑似餌が取付け易くするための先細り（５）を設けた取付け具である。【０００１３】  第４の解決手段は、本体に取付けられたエサや疑似餌が、道糸上を移動できるように、本体に道糸が通り抜ける穴を設けた取付け具である。
【発明の効果】
【０００１４】  上述したように本発明の取り付け具は、従来の仕掛けと比較して、エサや疑似餌の取付けや交換が、釣りの最中であっても素早くできる。【０００１５】  凸凹部により、エサや疑似餌が脱落する欠点も解消する。【０００１６】  本発明の構造上、道糸にエサや疑似餌を刺したり、結び付けるのではなく、本発明の本体に予めエサや疑似餌をゴム製チューブや糸で固定して用意してあれば、魚によってエサや疑似餌が獲られた場合も素早く交換でき、初心者でも簡単に釣りを再開できる。【０００１７】  さらには針にかかった魚が水中で針から逃れようと暴れた際にも、取り付けたエサや疑似餌が道糸上で移動するために、針にかかる水中抵抗が軽減されて、非常に魚が外れにくくなる。【０００１８】  また本体プラスチックに夜光塗料や発酵剤を塗り込めば発明本体そのものに集魚効果も期待できる。
【発明を実施するための形態】
【実施例】
【０００１９】  本発明の形態や実施例を図面で説明すると、図１〜図５に示すところの概略して、砲弾上の本体図１−（１）にストレート上の孔（４）が貫通してあり、図１−（２）の凹部にエサや疑似餌をゴムチューブや糸で留め、図１−（３）の凸部でエサや疑似餌のズレや脱落を防ぐものである。図４は釣り糸を通して本発明の移動状態の実施例である。図５はエサや疑似餌をつけた場合の実施例である。
【図面の簡単な説明】
【０００２０】
【図１】本発明の正面断面図である。
【図２】本発明の平面図である。
【図３】本発明の底面図である。
【図４】本発明の基本的な実施例である。
【図５】本発明を用いて応用した実施例である。
【符号の説明】  （１）  本発明の本体
（２）  エサ及び疑似餌を取り付ける凹部
（３）  エサ及び疑似餌のズレ・脱落を防ぐ凸部
（４）  本体に空けられた釣り糸を通す孔
（５）  エサ及び疑似餌を差込み易くするための先細り（テーパー）部
【図１】
2011110042.tif 000003
【図２】
2011110042.tif 000004
【図３】
2011110042.tif 000005
【図４】
2011110042.tif 000006
【図５】
2011110042.tif 000007
(57)【要約】【課題】市販の浮子では、風や海流の影響に会わせ、ガン玉等（重り）を増減する際に浮子本体を交換しなければならなかった。【解決手段】浮子本体に増設・交換可能な補助浮子を設ける。補助浮子は浮力の違うサイズを複数セットすることにより、ガン玉等（重り）を増やしても対応可能である。【選択図】図１
2011110041.tif 000002
【特許請求の範囲】
【請求項１】
交換可能な補助浮子を設けることにより、浮子本体を交換することなく、瞬時に浮力を変更できることを特徴とする魚釣り用浮子。
【請求項２】
前記補助浮子は市販のガン玉等（重り）に適応した浮力のものであり、浮子本体は水面下に隠れるよう内蔵重りで調整してあるため、魚が餌をくわえた時の抵抗を最小限に抑えられることを特徴とする請求項１記載の魚釣り用浮子。
【発明の詳細な説明】
【技術分野】
【０００１】  この発明は、魚釣りに用いる浮子の形状に関する。
【背景技術】
【０００２】  従来の浮子は図２に示すように、風や潮の流れなど状況に応じて、ハリス等にガン玉等（重り）６を増減するが、負荷の大きいガン玉等（重り）を増設した場合、浮力の小さい浮子を使用していると沈んでしまい、その都度、ガン玉等（重り）に応じた浮力の大きい浮子と交換するため、数種類の浮子が必要となる。
また、浮力の大きい浮子に負荷の小さいガン玉（重り）を使用すると、浮子は浮いているが、魚が餌をくわえた瞬間、その抵抗の大きさから餌を離してしまうため、時間を要するが、浮子の交換が必要となる。
【発明の概要】
【発明が解決しようとする課題】
【０００３】  しかしながら、以上の技術によれば、浮力の違う浮子８が何個も必要となり、浮子の中に道糸を通す中通し浮き９の場合には、一度、道糸を切断する必要があるため、瞬時に交換することができなかった。
そこで、この発明は、浮子本体を交換することなく、浮力の変更を可能とすることを課題とする。
【課題を解決するための手段】
【０００４】  以上の課題を解決するために、第一発明は、図１に示すように、浮子本体１にトップ２を取り付け、補助浮子を止めゴム３により取り付け取り外しを可能とし、上下に誘導する補助浮子４を設置する。
また、第二発明は、その補助浮子５を市販のガン玉に対応し、Ｂ、２Ｂ、３Ｂ等の浮力を持たせたものとする。
【発明の効果】
【０００５】  第一発明、または第二発明によれば、補助浮子４を増減することにより、ハリス等に取り付けるガン玉（重り）６の増減に対し、浮子本体を取り替えることなく瞬時に浮力変更が可能となる。
また、ビギナーにとっては、面倒な浮きの交換が不要となるばかりか、高価な浮子を複数購入することなく、安価で魚釣りを楽しめる。
【図面の簡単な説明】
【０００６】
【図１】この発明の一実施形態を示す斜視図である。
【図２】従来技術を示す斜視図である。
【発明を実施するための形態】
【０００７】  この発明の一実施形態を、図１に示す。
浮子本体は風の影響を受けず、水面下に隠れるよう内蔵重り７で調整してあるため、浮力は補助浮子で調整する。
【０００８】「実施形態の効果」
この実施形態によれば、重さの違うガン玉等（重り）を複数使用しても、浮力の違う補助浮子を複数使用することにより、瞬時に対応が可能となる。
「他の実施形態」
図１の実施形態では、浮子本体は水面下にあるため、風の影響を受けにくく、浮力は増設したガン玉等（重り）に対応した最小限の浮力であるため、魚が餌をくわえた時の抵抗も最小限に抑えられる。
【符号の説明】
【０００９】１  浮子本体                                  ２  トップ
３  補助浮子止めゴム（補助浮きはずれ止め）    ４  補助浮子
５  増設用の補助浮子                          ６  ガン玉等（重り）
７  内蔵重り
８  環付き浮子                                ９  中通し浮子
【図１】
2011110041.tif 000003
【手続補正書】
【提出日】平成22年1月27日(2010.1.27)
【手続補正１】
【補正対象書類名】図面
【補正対象項目名】全図
【補正方法】変更
【補正の内容】
【図１】
2011110041.tif 000004
【図２】
2011110041.tif 000005
(57)【要約】【課題】本体はスポイト式循環ポンプ方式の構造をもち、手動により吸い込み量を自由に変えながら簡易に観賞魚の糞などを除去掃除ができ、ふ化したばかりの幼魚の水槽掃除にも適した掃除器を提供することにある。【解決手段】水槽沈殿物掃除器１は、２つの流路が設けられ、一方は、吸入用流路２であり、吸入口を平たくし、水槽底面に沈殿した沈殿物９などを広く吸引でき、流路中にはろ過フィルター８が仕込まれた沈殿物溜まり３が設けてある、もう一方は、排水用流路６で、吸入側との連結部分に逆流防止のための弁４が配設され、ポンピング操作で水を循環させるベローズ５に接続された構造で、この２つの流路を循環させる過程で沈殿物９をフィルターでろ過し、沈殿物溜まり３に沈殿させて除去する。沈殿物溜まり３は取り外せる構造とし、掃除後に沈殿物溜まり３とろ過フィルター８の洗浄が可能である。さらに、操作し易いようにピストル型に成形されハンドル７を握ってベローズ５を作動させ吸引力の調整や微妙な所の掃除など安定した手動操作を可能にしている。【選択図】図１
2011110010.tif 000002
【特許請求の範囲】
【請求項１】
スポイト式循環ポンプ方式で２つの流路を持ち、流路中に取外し可能な沈殿物溜まりとろ過フィルターと、逆止弁と、ポンプ用ベローズからなることを特徴とする手動の水槽沈殿物掃除器。
【請求項２】
安定した手動操作を可能にするハンドルを有する請求項１記載の水槽沈殿物掃除器。
【発明の詳細な説明】
【技術分野】
【０００１】
本発明は、鑑賞魚水槽内のふんを簡単に除去する沈殿物掃除器に関する。
【背景技術】
【０００２】
従来のものは、「観賞魚用水槽掃除機 そうじやさん」（非特許文献１）など電動モータ式の掃除装置はあるが、吸引力の細かな調整などの操作はできない掃除装置であった。
【先行技術文献】
【非特許文献】
【０００３】
【非特許文献１】観賞魚用水槽掃除機  そうじやさん
【発明の概要】
【発明が解決しようとする課題】
【０００４】
本発明は、前述した従来技術の問題点に着目してなされたものであって、その目的とするところは、手動により吸い込み量を自由に変えながら簡易に観賞魚の糞などを除去掃除ができ、ふ化したばかりの幼魚の水槽掃除にも適した、本体をスポイト式循環ポンプ方式の構造を特徴とする水槽沈殿物掃除器を提供することにある。
【課題を解決するための手段】
【０００５】
スポイト式循環ポンプ方式で２つの流路を持ち、流路中に取外し可能な沈殿物溜まりとろ過フィルターと、逆止弁と、ポンプ用ベローズからなることを特徴とする手動の水槽沈殿物掃除器。
【発明の効果】
【０００６】
請求項１に記載した水槽沈殿物掃除器は、手動の操作により吸い込み量を自由に変えながら簡易に観賞魚の糞などの除去掃除ができ、ふ化したばかりの幼魚の水槽掃除にも使用できるという効果を有する。
【発明を実施するための形態】
【０００７】
本発明を適用した水槽沈殿物掃除器の一実施の形態について、図１を用いて説明する。
【０００８】
本発明の図１は、水槽沈殿物掃除器１の断面図である。水槽沈殿物掃除器１には、２つの流路を設け、一方は吸入用流路２であり、口を平たくし水槽底面に沈殿した糞などを広く吸引する吸入口と、流路中にろ過フィルター８が仕込まれた沈殿物溜まり３が設けられ、もう一方は、排水用流路６で、吸入側との連結部分に逆流防止のための弁４が配設され、ポンピング操作で水を循環させるベローズ５が設けられており、この２つの流路を循環させる過程で沈殿物９をフィルター８でろ過し、沈殿物溜まり３に沈殿させて除去する構造にしてある。さらに、沈殿物溜まり３は取り外せる構造とし、掃除後に沈殿物溜まり３とろ過フィルター８の洗浄が可能な構成にしていることを特徴としている。
【０００９】
前記装置水槽沈殿物掃除器１は、操作し易いようにピストル型に成形され、ハンドル７を握ってベローズ５を作動させ、吸引力の調整や微妙な所の掃除など、安定した手動操作を可能にすることを特徴としている。
【図面の簡単な説明】
【００１０】
【図１】本発明の、水槽沈殿物掃除器の断面図である。
【図２】本発明の、水槽沈殿物掃除器の操作例を表す図である。
【図３】本発明の、水槽沈殿物掃除器の使用例を表す図である。
【符号の説明】
【００１１】
１  水槽沈殿物掃除器の本体
２  吸入口流路
３  沈殿物溜まり
４  逆止弁
５  ベローズ
６  排出口流路
７  ハンドル
８  ろ過フィルター
９  沈殿物
【図１】
2011110010.tif 000003
【図２】
2011110010.tif 000004
【図３】
2011110010.tif 000005
(57)【要約】【課題】従来のペットの散歩後の足の洗浄は風呂場でシャワーを使うか抱きかかえて洗面所で洗うかが主である。しかしながら、風呂場などでの洗浄は飼い主も濡れる可能性が高く、洗面所等での洗浄は極小型犬以外は一人で抱きかかえて洗浄するのはかなりの負担である。【解決手段】犬等の抱きかかえの負担を軽くし装着が簡単であることを特徴とする抱きかかえ補助具である。また第２発明は補助具を固定する台を設けることにより足だけではなく全体を安定した状態で洗浄することが可能となることを特徴とする補助具である。【選択図】図１
2011110038.tif 000002
【特許請求の範囲】
【請求項１】
犬等の抱きかかえの負担を軽くし装着が簡単であることを特徴とする抱きかかえ補助具である。。
【請求項２】
補助具を固定する台を設けることにより足だけではなく全体を安定した状態で洗浄することが可能となることを特徴とする補助具である。
【発明の詳細な説明】
【技術分野】
【０００１】  この発明は、中・小型犬等の散歩前後に用いる抱きかかえ補助具の形状に関する。
【背景技術】
【０００２】  従来のペットの散歩後の足の洗浄は風呂場でシャワーを使うか抱きかかえて洗面所で洗うかが主である。【０００３】
【発明の概要】
【発明が解決しようとする課題】
【０００４】  しかしながら、風呂場などでの洗浄は飼い主も濡れる可能性が高く、洗面所等での洗浄は極小型犬以外は一人で抱きかかえて洗浄するのはかなりの負担である。
そこで、この発明は、装着しやすい抱きかかえ補助具を提供することを課題とする。
【課題を解決するための手段】
【０００５】  以上の課題を解決するために、第一発明は、犬等の抱きかかえの負担を軽くし装着が簡単であることを特徴とする抱きかかえ補助具である。また第２発明は補助具を固定する台を設けることにより足だけではなく全体を安定した状態で洗浄することが可能となることを特徴とする補助具である。
【発明の効果】
【０００６】  第一発明、または第二発明によれば、素手で抱きかかえることで掛る腰などへの負担を軽減しかつ安定した状態で持ち上げることができる。
【図面の簡単な説明】
【０００７】
【図１】この発明の一実施形態を示す斜視図である。
【発明を実施するための形態】
【０００８】  この発明の一実施形態を、図１に示す。
抱きかかえ補助具の本体１はプラスティック製であり、この本体１には、とってが一体的に設けられている。このとっては補助具を台に固定するための固定部となる。
【０００９】「実施形態の効果」
この実施形態によれば、本体１に設けられたネット２は伸縮性の素材で形成されている。したがって体長によって幅を調整することが可能である。
【符号の説明】
【００１０】１  本体        ２  とって
３  ネット      ４  台
【図１】
2011110038.tif 000003
【図２】
2011110038.tif 000004
【手続補正書】
【提出日】平成22年1月12日(2010.1.12)
【手続補正１】
【補正対象書類名】明細書
【補正対象項目名】０００７
【補正方法】変更
【補正の内容】
【０００７】
【図１】この発明の一実施形態を示す斜視図である。
【図２】図１の補助具を台４に固定した斜視図である。
(57)【要約】【課題】雨の日の犬の散歩には犬用カッパを着せるのだが、ゴワゴワして嫌がる犬も多く着付けるのに苦労する。動き回る為犬の頭と尻尾は濡れてしまう。その為何も身に着けないで足早に散歩を切り上げるのが一般的である。  本発明は以上の問題点を解決する為に成されたものである。【解決手段】胴着を犬の背中から左右に垂らしたり、胴着の一部を紐状にし端部に接着材を取り付け、腹部、首周り、両手足部で固定する。小穴の開いた雨笠にも接着材が取り付けて有り、胴着と固定する。手綱ロープを笠の小穴箇所で犬の首輪に接続し、小穴を蓋で覆う。【選択図】図３
2011110036.tif 000002
【特許請求の範囲】
【請求項１】
犬のサイズに合わせ、接着材を取付けた胴着や胴着の一部を紐材にし、接着材を取り付け、腹部、首周り、両手足部を接着材で犬と胴着を固定し、小穴の開いた雨笠にも接着材か取付けて有り、手綱ロープ上に上下移動可能扇型部材を丸め結束した犬の雨笠。
【発明の詳細な説明】
【技術分野】
【０００１】本発明は雨の日の犬の散歩用品に関するものである。
【背景技術】
【０００２】従来雨の日の犬の散歩には、犬用カッパを着せるか、なにも身に着けないで足早に切り上げるのが、一般的である。
【先行技術文献】
【０００３】
【特許文献１】登録実用新案第３０９７５１
【発明の概要】
【発明が解決しようとする課題】
【０００４】雨の日の散歩では、犬用カッパを着せるのだが、ゴワゴワして嫌がる犬も多く、着付けるのに苦労する、着ていても動き回る為犬の頭と尻尾は雨に濡れてしまう。
本発明は以上の問題点を解決する為に成されたものである。
【問題を解決するための手段】
【０００５】胴着を犬の背中から左右に垂らし、腹部で左右の胴着端を重ね接着し固定する。
胴着から２本伸びた紐を犬の首周りで固定する。犬の背骨沿いには接着材が胴着に取り付けられていている。笠の中央部にも接着材が取付けられていて、胴着の接着材と重ね一体化する。笠には犬の首輪近くに子穴が開けて有り、首輪のリングに手縄ロープのフックを引っ掛ける、その穴に蓋をした、
以上の構成より成る犬の雨笠。
【発明の効果】
【０００６】手が使えない為カッパでしか防げなかった雨を背中に背負った透明な笠で防ぐ、生理現象で後ろ足上げても、踏ん張っても邪魔にならない。
【図面の簡単な説明】
【０００７】
【図１】本発明の胴着平面図
【図２】本発明の笠平面図
【図３】本発明の使用状態を示す斜視図
【発明を実施するための形態】
【０００８】以下、本発明の実施の形態を説明する。
（イ）犬の背中から左右に垂らした胴着の両端に接着材が取付けられて有り、犬の腹部で    左右の胴着端を重ね接着固定する。
（ロ）胴着の長さは首の根元から後ろ足の手前までとする。
（ハ）首付近に胴着から伸びた２本の紐があり先端部に、接着材が取付けられていて首周    りで接着し固定する。
（二）胴着には犬の背骨沿いに接着材が数本取付けられていて、笠側の接着材と重ね合っ    て一体となす。
（ホ）笠は犬の行動がわかるよう透明で、必要最小限の面積とし、首輪のリングに手縄ロ    ープのフックが通る子穴が開けてある。
（ヘ）小穴に蓋をするのに手綱ロープ上を上下に移動できるよう、防水性の薄い材質で扇    型に切断された部材の要側を手綱ロープに巻いて、移動出来る強さに調節して固定す    る。
（ト）犬も雨が嫌いで、雨の日の散歩は駆け足になり耳に雨が入らないよう頭を下げる。    笠に頭が当たりそうだが、雨の日の散歩は長時間でない為問題なかった。
本発明は以上のような構造である。
本発明を使用する時は、胴着（１）を犬の背中に掛け接着材（２）が背骨の上に来るよう調節し、胴着（１）の左右両端を持って犬の腹部を抱え込むようにし接着し固定する。
胴着（１）から伸びた首回り紐（３）を接着材（２）で固定する。笠（４）の中央部に接着材（２）が数本取付けられているので、胴着（１）の接着材（２）と位置を合わせ重ねて固定する。
首輪のリング（５）を笠の小穴（６）まで回転移動して、手綱ロープ（７）のフックで引っ掛ける。笠の小穴（６）から雨水が入らないよう笠の小穴蓋（８）を取り付け手綱ロープ（７）のフック先端側に移動する。笠（４）の表面にデザインや犬の名をいれる。
【符号の説明】
【０００９】    （１）胴着（２）接着材（３）首周り紐（４）笠（５）首輪のリング（６）笠の小穴    （７）手綱ロープ（８）笠の小穴蓋
【図１】
2011110036.tif 000003
【図２】
2011110036.tif 000004
【図３】
2011110036.tif 000005
(57)【要約】【課題】  マンボウの皮を用いて、誰にでも親しまれる食味や食感を有する食品を提供する。【解決手段】  細かく刻んだマンボウの皮と柚子果汁を用いてスイーツとする。甘味の付与や、食味及び食感を調整するために、酢、砂糖、水飴から選ばれる少なくとも１種を添加する。【選択図】なし【特許請求の範囲】
【請求項１】
細かく刻んだマンボウの皮と柚子果汁を含むことを特徴とするスイーツ。
【請求項２】
酢、砂糖、水飴から選ばれる少なくとも１種を添加してなることを特徴とする請求項１に記載のスイーツ。
【請求項３】
マンボウの皮を４〜５ｃｍ四方の大きさの切片とする工程、前記切片の表面部分を除去する工程、前記表面部分を除去した切片を６０〜１２０℃の温度で透明になるまで茹でる工程、前記茹でた切片を氷水に浸漬する工程、前記氷水に浸漬した切片を、冷蔵庫に入れて１２〜２４時間冷蔵処理を施す工程、前記冷蔵処理した切片と水を分離し１０ｍｍ以下の砕片とする工程、柚子果汁、酢、砂糖、柚子ソース、水飴から選ばれる少なくとも１種からなる混合物を沸騰させた後に５℃以下に冷却して得られる調味料を、前記砕片に加えて均一に混合し、１日以上冷蔵する工程を有することを特徴とする、請求項１または請求項２に記載のスイーツの製造方法。
【発明の詳細な説明】
【技術分野】
【０００１】  本発明は、マンボウの皮を用いた食品、特に甘味やその他の成分を加えて処理を施したスイーツとその製造方法に関するものである。
【背景技術】
【０００２】  マンボウは、大きなものは、体長が３ｍ以上、体重が２トン以上に及ぶ最大級の魚の１種であり、全世界の熱帯ないし温帯の海域に生息しているが、生態については未だ知られていないことが多い。【０００３】  マンボウの食材としての市場は、日本と台湾が最大であり、日本においては定置網で、他の魚と一緒に捕獲される場合が殆どである。食用に供する形態としては、刺身や天ぷらが多く、腸や肝臓、眼球も食材として用いられる。そして、マンボウは前記のように大型の魚なので、解体によって生じる皮の量も多いが、食材として用いられることは皆無に近い。【０００４】  特許文献１には、マンボウの肝臓を健康食品として用いる例が、特許文献２には、マンボウやその他の魚介類の内臓を魚醤の原材料として用いる例が、特許文献３には、加熱調理前のマンボウやその他の魚介類を清酒で処理することにより特有の臭みを除く方法が開示されている。しかしながら、マンボウの皮を食材として利用する先行技術は、まったく見られないのが実状である。
【先行技術文献】
【特許文献】
【０００５】
【特許文献１】  特開２００２−１２５６１８号公報
【特許文献２】  特開２００３−３１９７５６号公報
【特許文献３】  特開２００８−１０９８７２号公報
【発明の概要】
【発明が解決しようとする課題】
【０００６】  従って、本発明の目的は、マンボウの皮を用い、誰にでも親しまれる食味や食感を有する食品を提供することである。
【課題を解決するための手段】
【０００７】  本発明は、前記の課題解決のため、誰にでも親しまれる食品としてのスイーツに着目し、マンボウの皮をスイーツに利用可能とする、処理方法を検討した結果なされたものである。【０００８】  即ち、本発明は、細かく刻んだマンボウの皮と柚子果汁を含むスイーツであり、甘味の付与や、食味及び食感を調整するために、酢、砂糖、水飴から選ばれる少なくとも１種を添加してなることを特徴とする。【０００９】  また、本発明は、マンボウの皮を４〜５ｃｍ四方の大きさの切片とする工程、前記切片の表面部分を除去する工程、前記表面部分を除去した切片を６０〜１２０℃の温度で透明になるまで茹でる工程、前記茹でた切片を氷水に浸漬する工程、前記氷水に浸漬した切片を、冷蔵庫に入れて１２〜２４時間冷蔵処理を施す工程、前記冷蔵処理した切片と水を分離し１０ｍｍ以下の砕片とする工程、柚子果汁、酢、砂糖、柚子ソース、水飴から選ばれる少なくとも１種からなる混合物を沸騰させた後に５℃以下に冷却して得られる調味料を、前記砕片に加えて均一に混合し、１日以上冷蔵する工程を有することを特徴とする、前記のスイーツの製造方法である。
【発明の効果】
【００１０】  本発明によれば、従来まったく用途がなく、廃棄せざるを得なかった、マンボウの皮を食材として活用できるようになり、消費者の食品の選択肢が増加し、食生活を豊にすることに寄与する。また、マンボウの皮には、栄養素として、コラーゲンなどの有用な成分が含まれ、消費社の健康増進にも寄与することができる。
【発明を実施するための形態】
【００１１】  次に、本発明の実施の形態について、製造工程の具体例に基づいて説明する。
【００１２】  まず、包丁などを用いて、マンボウの皮を概ね４〜５ｃｍの大きさに切断して切片とする。次に、同じく包丁を用いて、皮の表面のザラザラした部分を除き、裏側に薄皮があれば、これも包丁を用いて除く。
【００１３】  前記処理を施したマンボウの皮を、十分に浸る量の熱湯にいれ、透明になるまで茹でる。この処理は６０〜１２０℃の温度範囲で行なう。この温度範囲とする理由は、例えば圧力鍋を用いて、１２０℃以上の温度で茹でると、マンボウの皮が膨潤して保形性を失い糊状となってしまうからである。茹でた後は、流水を用いて冷却し、さらに氷水を用いてしめる。
【００１４】  氷水に浸した状態のマンボウの皮の切片を、冷蔵庫に入れて、コンニャクのような弾性が現れるまで保冷する。このための保冷時間は概ね半日である。保冷処理したマンボウの皮の切片の水切りをした後、食品のプロセッサーであるクイジナート（登録商標）に入れ、食品の切り刻みに適したメタルブレードと称される回転刃を用いて、概ね１０ｍｍ以下の大きさの砕片とする。
【００１５】  次に、前記処理を施したマンボウの皮の砕片に加える調味料の調製について説明する。以下は、４０Ｋｇのマンボウの皮に対する量である。柚子果汁を１．８リットル、酢を２．７リットル、砂糖を５Ｋｇ、柚子ソースを４Ｋｇ、水飴を６．２Ｋｇ準備し、均一に混合して沸騰させた後、５℃以下となるまで、冷却する。ここで、柚子ソースとは柚子の果汁及び摩り下ろした柚子の皮に、醤油、塩、黒胡椒を適宜加えたものである。
【００１６】  前記のように調整した調味料と、マンボウの皮の砕片を均一に混合し、冷蔵庫にて１日保冷することにより、本発明のマンボウの皮を含むスイーツが完成する。なお、調味料とマンボウの皮の砕片を混合する際には、常温以上の温度領域では、マンボウの皮の砕片が柔らかくなり、砕片が相互に付着して塊となることがあるので、できるだけ低温とすることが望ましい。
【００１７】  以上に説明したように、本発明によれば、マンボウの皮を用いたスイーツとその製造方法を提供することができる。なお、本発明は、前記実施の形態に限定されるものではなく、本発明の分野における通常の知識を有する者であれば想到し得る、各種変形、修正を含む要旨を逸脱しない範囲の設計変更があっても、本発明に含まれることは勿論である。
(57)【要約】【課題】観賞に用いる苔並び苔玉・植物等は、設置に際し、陶器または専用の台座が必要であり、毎日の水管理が必要であった。従来の吊り苔もまた、毎日の水管理が不可欠であった。【解決手段】内部構造に給水口４と自然灌水装置５を持った球体型貯水容器にする。貯水容器を内蔵する事で陶器または専用の台座を不要とする。貯水容器を内蔵する事により水管理を軽減する事ができる。【選択図】図１
2011110034.tif 000002
【特許請求の範囲】
【請求項１】
内部構造を球体型貯水容器にした事を特徴とする苔並びに苔玉・植物等の栽培装置。
【請求項２】
前記球体型貯水容器は、プラスチックまたは樹脂製でできた球体型の貯水容器である事を特徴とする請求項１記載の苔並びに苔玉・植物等の栽培装置。
【請求項３】
内部の貯水容器から自然灌水できる装置がある特徴を持つ苔並び苔玉・植物等の栽培装置。
【請求項４】
内部の貯水容器に直接給水できる給水口を設けた事を特徴とする苔並び苔玉・植物等の栽培装置。
【発明の詳細な説明】
【技術分野】
【０００１】この発明は、苔並びに苔玉・植物等の栽培装置及び展示方法に関する。
【背景技術】
【０００２】従来の苔玉等の形状は図２に示すように、表面２に苔・植物等を張り本体１に専用土団子・保水体等を用いたものである。
【先行技術文献】
【特許文献】
【０００３】
【特許文献１】特開２００５−３２３５２０号公報
【非特許文献】
【０００４】
【非特許文献１】砂森聡監修「苔玉・ミニ盆栽」出版２００３年
【発明の概要】
【発明が解決しようとする課題】
【０００５】しかしながら、以上の技術によれば、設置場所が陶器及び専用台座に限られ、毎日の水管理が必要となった。
そこで、この発明は、水管理を軽減させ、吊り下げる事ができる栽培装置である事を課題とする。
【課題を解決するための手段】
【０００６】以上の課題を解決する為に、第一発明は、内部構造体を球体型貯水容器にし、給水口を設置する事を特徴とする苔・植物等の栽培装置である。
また、第二発明は、球体型貯水容器内部に自然灌水装置を設ける事と、構造体の表面を植栽マットまたは保水体で覆う事を特徴とする苔・植物等の栽培装置である。
【発明の効果】
【０００７】第一発明によれば、貯水容器にする事で重量や音により水の残量が把握しやすくなり、給水作業も簡単にできる。
第二発明によれば、従来のそれより重量の軽量化が図れ、吊り下げる事もでき、水管理の軽減や省略化が図れる。
【図面の簡単な説明】
【０００８】
【図１】この発明の一実施形態を示す断面図である。
【図２】従来技術を示す斜視図である。
【発明を実施するための形態】
【０００９】この発明の一実施形態を、図１に示す。
球体型貯水容器の本体１はプラスチックまたは樹脂製であり、この本体１の表面には植栽マットまたは保水体等３が全体を覆っており、その上を苔・植物等２が覆っている。本体１の上部には給水口４が設けられている。本体１の頂上部から内部にかけて自然灌水装置５が設けられている。同頂上部には吊り金具６が設けられている。
【００１０】「実施形態の効果」
この実施形態によれば、専用土団子や保水体を用いずとも球体型貯水容器に直接給水する事ができる。さらには自然灌水装置５が水を吸い上げ植栽マットまたは保水体等３に浸透し苔・植物等２の隅々に水が行き渡り、水管理を軽減させる。吊り金具６により吊るす事もできる。
「他の実施形態」
この栽培装置は屋内外で使用可能である。
【符号の説明】
【００１１】１  本体                          ２  苔・植物等
３  植栽マットまたは保水体等      ４  給水口
５  自然灌水装置                  ６  吊り金具
【図１】
2011110034.tif 000003
【図２】
2011110034.tif 000004